【手続補正書】
【提出日】平成16年1月23日(2004.1.23)
【手続補正１】
【補正対象書類名】明細書
【補正対象項目名】請求項１３
【補正方法】変更
【補正の内容】
【請求項１３】
前記第１層がフェノール分が１０〜２０ｗｔ％のエポキシ・フェノール系樹脂塗料であり、第２層がフェノール分が２２〜３５ｗｔ％のエポキシ・フェノール系樹脂塗料である請求項１記載の金属容器。
【手続補正２】
【補正対象書類名】明細書
【補正対象項目名】請求項１４
【補正方法】変更
【補正の内容】
【請求項１４】
前記第１層が高分子量のエポキシ樹脂を用いたエポキシ・フェノール系樹脂塗料であり、第２層が低分子量のエポキシ樹脂を用いたエポキシ・フェノール系樹脂塗料である請求項１記載の金属容器。
【手続補正３】
【補正対象書類名】明細書
【補正対象項目名】請求項１５
【補正方法】変更
【補正の内容】
【請求項１５】
前記第１層が、高分子量のエポキシ樹脂を用いた水性のエポキシ・アクリル系樹脂塗料であり、第２層が低分子量のエポキシ樹脂を用いたエポキシ・アクリル系樹脂塗料である請求項１記載の金属容器。
【手続補正４】
【補正対象書類名】明細書
【補正対象項目名】０００６
【補正方法】変更
【補正の内容】
【０００６】
前記内面塗装の塗膜１０２は、内容物の性質および目的に応じて種々のものが用いられる。たとえば金属の腐蝕防止と缶胴の加工性／密着性にすぐれた塗膜を得たい場合は、エポキシ・フェノール系樹脂の塗装が施される。その場合、缶底を酸化亜鉛粒子を含有する油性樹脂系塗膜を、缶胴をエポキシ・フェノール系塗膜に塗り分けたプレコート材に絞り加工を施すことが提案されている（特開昭６１−４７３４４号公報参照）。このものは水産物による金属容器の内面の硫化黒変を防止することができる。また、特開平５−１３８１２５号公報には、粉体塗装方法で缶底と缶胴を塗り分けて、１回で焼き付ける方法が開示されている。このものは同一の塗料を塗り分けて１回の焼き付けることができる。


【手続補正５】
【補正対象書類名】明細書
【補正対象項目名】０００８
【補正方法】変更
【補正の内容】
【０００８】
さらに全面に２層塗膜を設けたプレコート材に絞り加工（ＤＲＤ加工、ＤＩ加工など）を施して、内面塗膜を設けた金属缶を構成する技術を知られている。たとえばプライマリ層（下地層）としてＡＩ顔料入りエポキシフェノール系樹脂塗料を塗装し、その表面に内容物による着色を防ぐための酸化亜鉛粉末を含有するポリオレフィンまたは不飽和ポリエステルを被覆した硫黄含有食品用容器（特開昭５６−３２２３７号公報）、あるいは下地層をビニルオルガノゾル系樹脂塗料とし、表層をエポキシフェノール系樹脂塗料とし、２回焼き付けした、カニなどの食品に含まれる色素の吸収を抑制する金属缶（特開平２−２４２７４３号公報）などが知られている。


【手続補正６】
【補正対象書類名】明細書
【補正対象項目名】００１５
【補正方法】変更
【補正の内容】
【００１５】
前記内面塗膜としては、第１層を耐加工性が高いエポキシ・フェノール系樹脂塗料とし、第２層を耐食性が高いエポキシ・フェノール系樹脂塗料とするのが好ましい。また前記第３層を有する金属容器の場合は、第１層および第３層を耐加工性が高いエポキシ・フェノール系樹脂塗料とし、第２層を耐食性が高いエポキシ・フェノール系樹脂塗料とするのが好ましい。さらに、第２層が顔料を含むエポキシ・フェノール系樹脂塗料であり、前記第１層が顔料を含まない、あるいは前記第２層より顔料の含有率が小さいエポキシ・フェノール系樹脂塗料とすることができる。また、前記第１層をフェノール分が１０〜２０ｗｔ％、第２層をフェノール分が２２〜３５ｗｔ％とするのが好ましい。なおここで「ポイント」は、パーセントの数値の差を意味する。


【手続補正７】
【補正対象書類名】明細書
【補正対象項目名】００１６
【補正方法】変更
【補正の内容】
【００１６】
また、前記第１層が高分子量、たとえば平均分子量５，０００〜２０，０００、特に１０，０００〜２０，０００を主体とするエポキシ樹脂を用いたエポキシ・フェノール系樹脂塗料であり、第２層が低分子量、たとえば平均分子量２，０００〜７，０００を主体とするのエポキシ樹脂を用いたエポキシ・フェノール系樹脂塗料である金属容器が好ましい。また、前記第１層が、高分子量のエポキシ樹脂を用いた水性のエポキシ・アクリル系樹脂塗料であり、第２層が低分子量のエポキシ樹脂を用いた水性のエポキシ・アクリル系樹脂塗料である金属容器が好ましい。


【手続補正８】
【補正対象書類名】明細書
【補正対象項目名】００２０
【補正方法】変更
【補正の内容】
【００２０】
容器の内面の全面に第１層を設け、その上に第２層を設けた金属容器は、金属表面が継ぎ目なく１つの層で覆われているので、耐久性が高い。また、第１層は従来使用している塗装装置で容易に設けることができる。また、第２層は第１層の上に設けているので、さらに耐久性が高い。しかも内容物に直接接するので、内容物に対する保護作用が高い。第２層を第１層の上の全面に設ける場合は、従来の塗装装置をそのまま使用することができる。さらに第１層は第２層によって全体に覆われているので、内容物に対する保護作用が一層高い。なお、第２層は加工度が高い部分についても、第１層のクッション作用により、加工時にひび割れするおそれが少ない。また第２層を加工度が低い部位のみに設ける場合は、塗料を節約することができる。


【手続補正９】
【補正対象書類名】明細書
【補正対象項目名】００２７
【補正方法】変更
【補正の内容】
【００２７】
前記第１層が高分子量のエポキシ樹脂を用いたエポキシ・フェノール系樹脂塗料で、第２層が低分子量のエポキシ樹脂を用いたエポキシ・フェノール系樹脂塗料である金属容器の場合は、同質の材料であるので、密着性が高い。また、エポキシ・フェノール系樹脂塗料は、エポキシ・フェノール系樹脂を油性溶媒などと混合して溶媒系の塗料として使用するもので、飲料缶以外の、染毛剤、ガソリン添加剤などを収納する缶に適する。また適切な分子量のエポキシ樹脂を用いた塗料を準備しておき、使用時に分子量の調節を行い、第１層用と第２層用の塗料を調整することもできる。


【手続補正１０】
【補正対象書類名】明細書
【補正対象項目名】００２８
【補正方法】変更
【補正の内容】
【００２８】
第１層に高分子量のエポキシ樹脂を用いた水性のエポキシ・アクリル系樹脂塗料を用い、第２層として低分子量のエポキシ樹脂を用いた水性のエポキシ・アクリル系樹脂塗料を用いた金属容器は、水性塗料を使用するので、フレーバー性がよく、飲料缶（通常の絞りしごき缶、ねじ付絞りしごき缶など）に適する。


【手続補正１１】
【補正対象書類名】明細書
【補正対象項目名】００３７
【補正方法】変更
【補正の内容】
【００３７】
エポキシ・フェノール系樹脂のエポキシ樹脂の分子量が高い場合は硬度が高く、耐食性が増し、分子量が低い場合は硬度が低く、加工性が向上する。第１層を高分子量のエポキシ樹脂が用いたエポキシ・フェノール系樹脂塗料とし、第２層を低分子量のエポキシ樹脂を用いたエポキシ・フェノール系樹脂塗料とすることもできる。その場合のエポキシ樹脂の分子量の目安は、第１層で平均分子量が３，０００〜２０，０００程度、好ましくは５，０００〜２０，０００程度であり、第２層で平均分子量２，０００〜１０，０００程度、好ましくは２，０００〜７，０００程度である。また第２層の平均分子量は第１層の平均分子量よりも１，０００〜１０，０００程度少なくする。


【手続補正１２】
【補正対象書類名】明細書
【補正対象項目名】００３８
【補正方法】変更
【補正の内容】
【００３８】
なお、エポキシ樹脂の分子量の大小、フェノール分の多少、および顔料の有無は、互いに組み合わせて採用することもできる。たとえば第１層として高分子量のエポキシ樹脂を用いるとともに、フェノール分を少なくしたエポキシ・フェノール系樹脂塗料を採用し、第２層として低分子量のエポキシ樹脂を用いると共に、フェノール分を多くしたエポキシ・フェノール系樹脂を用いたり、さらに第２層に顔料を含有させたりさせることもできる。